(57)【特許請求の範囲】
【請求項１】
磁性体により円柱状に形成され、板状の永久磁石が埋め込まれる磁石埋め込み孔が環状に所定間隔で形成された回転子であって、
前記磁石埋め込み孔に埋め込まれた永久磁石と、
前記磁石埋め込み孔の周方向両端部に形成された磁束短絡防止用の非磁性部と、
前記磁石埋め込み孔の外周側に形成された外周部鉄心と、
前記外周部鉄心の両端の前記非磁性部から周方向内側へ所定間隔の磁性部からなる磁路を介して所定形状の貫通孔がそれぞれ３個形成されたスリットと、
を備え、
前記外周部鉄心の磁極部中央の一定領域は前記スリットの無い磁性部のみで形成され、前記スリットのうち、前記外周部鉄心の磁極部寄りのスリットを第１スリットとし、順次前記極間部方向へ第２スリットと第３スリットが形成され、前記一定領域の磁性部の周方向幅をａ、前記第１スリットと第２スリットとの間の前記磁路の幅をｂとし、
前記第１スリットから径方向外側の前記磁路の幅をｂ’とし、前記第２スリットと前記第３スリットとの間の周方向の磁路幅が最も大きくなる外周側の磁路幅をｃとし、
前記第２スリットと前記非磁性部との間の径方向外側の前記外周部鉄心の外周部を切り欠いた外周部切欠き部が形成され、前記第１スリットと前記第２スリットの周方向幅は、前記磁路の幅ｂよりも大きく、第３スリットのスリット形状は、径方向に細長い形状をしていると共に、
前記第３スリットと前記非磁性部との間の周方向の磁路の幅をｄとした場合に、次式（１）の関係にあることを特徴とする回転子。
ａ＞ｃ＞ｂ＋ｂ’＞ｄ    ……（１） 
【請求項２】
請求項１に記載の回転子と、
前記回転子が内部に配置され、環状のヨーク部から内方に延びるティース部のティース先端面が、前記回転子の前記磁極部又は前記極間部の少なくとも１つと同一距離を隔てて対向する集中巻の固定子と、
を備えていることを特徴とする永久磁石電動機。
【請求項３】
前記回転子の前記外周部鉄心の磁極部中央に形成される前記磁性部のみで形成される一定領域の周方向幅は、対向する前記固定子の前記ティース部の周方向幅よりも広く、前記ティース先端面の周方向幅よりも狭いことを特徴とする請求項２に記載の永久磁石電動機。
【発明の詳細な説明】
【技術分野】
【０００１】
本発明は、回転子およびその回転子を用いた永久磁石電動機に関する。
【背景技術】
【０００２】
従来、回転子鉄心に永久磁石が所定間隔で埋め込まれて形成され、各永久磁石の両端部付近にフラックスバリアが設けられた磁石埋め込み型の回転子を用いた永久磁石電動機があった。例えば、永久磁石の固定子側の表面に接触させて複数の外周部鉄心が配設され、各外周部鉄心には、各永久磁石と固定子に挟まれた領域に、各外周部鉄心を回転子の軸方向に貫通する一対の貫通孔が開設されている。一対の貫通孔は、各永久磁石と固定子の間に発生する磁力線の磁気的中心線を挟んで両側に対称に開設され、夫々が細長いスリット形状を有すると共に、固定子に向かって互いの間隔が狭まってハの字状をしている永久磁石モータが開示されている（特許文献１参照）。
【０００３】
また、上記以外にも、スリットの形状を周方向に細長い複数個のスリットを備えた永久磁石埋込型モータの回転子（特許文献２参照）、あるいは、永久磁石収容孔の外周部鉄心に形成され、径方向に細長く、かつ、永久磁石収容孔に沿って離隔配置された４個以上のスリット孔を備えた永久磁石電動機などが開示されている（特許文献３参照）。
【先行技術文献】
【特許文献】
【０００４】
【特許文献１】特開平１１−４６４６４号公報
【特許文献２】特開２００８−１８７７７８号公報
【特許文献３】特許第４２４８９８４号公報
【発明の概要】
【発明が解決しようとする課題】
【０００５】
上記特許文献１に記載された従来の永久磁石モータは、各外周部鉄心を回転子の軸方向に貫通する一対の貫通孔が開設され、夫々が細長いスリット形状を有し、固定子に向かって互いの間隔が狭まったハの字状をしている。この貫通孔は、外周部鉄心の中と比べて、永久磁石から出た磁束を通り難くする作用がある。このため、ハの字状の貫通孔を設けることで、磁束を外周部鉄心の中央部に集中させることが可能となり、回転子の回転トルクを大きくすることができる。しかしながら、特許文献１に示すように誘起電圧波形は、２つの山があって正弦波のようになだらかな曲線が得られず、誘起電圧に高調波成分を含むことから、回転子の回転時において振動や騒音が出やすいという問題があった。
【０００６】
一方、特許文献２または３に記載された電動機の回転子には、各外周部鉄心に複数のスリット（貫通孔）が形成されている。特許文献２の回転子は、複数のスリットが周方向に細長く形成されており、各スリット間の間隔を磁極中心から極間部に向けて徐々に小さくすることで、誘起電圧波形が正弦波に近づくように外周部鉄心の磁束分布の改善を行っている。また、特許文献３の回転子は、複数のスリットが径方向に細長く形成されており、スリット孔の径方向外周端のピッチを略等しくすると共に、スリット孔の径方向内側端のピッチを正弦波の高さに比例させることにより、誘起電圧波形が正弦波に近づくように外周部鉄心の磁束分布の改善を行っている。このように、特許文献２または３では、振動や騒音の出にくい電動機の回転子とすることができる。しかしながら、特許文献２または３の回転子は、各外周部鉄心の径方向に複数のスリットを連続して配置しているため、磁極の中心付近のスリットにより永久磁石から出る磁束を外周部鉄心の中央部に集中させることが難しく、大きな回転トルクが得られないという問題があった。
【０００７】
さらに、特許文献１〜３のスリットの幅は、スリット周辺の磁性部の幅（磁路の幅）よりも小さく形成されているため、磁束がスリットを横切る磁束の漏洩現象が生じ易くなり、スリットによる磁束分布の改善を十分に行うことができないという問題があった。
【０００８】
そこで、スリットの周方向幅を大きくすることにより漏洩磁束を少なくできるが、スリット間の磁路の幅を小さくしつつ、幅の大きなスリットを複数打ち抜くには高度の加工技術が必要となるため、容易に製造することができないという問題があった。
【０００９】
本発明は、上記に鑑みてなされたものであって、回転子の回転時において大きな回転トルクが得られると共に、複数のスリットの打ち抜きによる製造を容易にしつつ、誘起電圧波形を正弦波に近づけることにより、振動や騒音の発生し難い回転子および永久磁石電動機を得ることを目的とする。
【課題を解決するための手段】
【００１０】
上述した課題を解決し、目的を達成するために、本発明は、磁性体により円柱状に形成され、板状の永久磁石が埋め込まれる磁石埋め込み孔が環状に所定間隔で形成された回転子であって、前記磁石埋め込み孔に埋め込まれた永久磁石と、前記磁石埋め込み孔の周方向両端部に形成された磁束短絡防止用の非磁性部と、前記磁石埋め込み孔の外周側に形成された外周部鉄心と、前記外周部鉄心の両端の前記非磁性部から周方向内側へ所定間隔の磁性部からなる磁路を介して所定形状の貫通孔がそれぞれ３個形成されたスリットと、を備え、前記外周部鉄心の磁極部中央の一定領域は前記スリットの無い磁性部のみで形成され、前記スリットのうち、前記外周部鉄心の磁極部寄りのスリットを第１スリットとし、順次前記極間部方向へ第２スリットと第３スリットが形成され、前記一定領域の磁性部の周方向幅をａ、前記第１スリットと第２スリットとの間の前記磁路の幅をｂとし、前記第１スリットから径方向外側の前記磁路の幅をｂ’とし、前記第２スリットと前記第３スリットとの間の周方向の磁路幅が最も大きくなる外周側の磁路幅をｃとし、前記第２スリットと前記非磁性部との間の径方向外側の前記外周部鉄心の外周部を切り欠いた外周部切欠き部が形成され、前記第１スリットと前記第２スリットの周方向幅は、前記磁路の幅ｂよりも大きく、第３スリットのスリット形状は、径方向に細長い形状をしていると共に、前記第３スリットと前記非磁性部との間の周方向の磁路の幅をｄとした場合に、ａ＞ｃ＞ｂ＋ｂ’＞ｄの関係にあることを特徴とする。
【００１１】
また、本発明は、前記回転子と、前記回転子が内部に配置され、環状のヨーク部から内方に延びるティース部のティース先端面が、前記回転子の前記磁極部又は前記極間部の少なくとも１つと同一距離を隔てて対向する集中巻の固定子と、を備えていることを特徴とする。
【００１２】
また、本発明は、前記回転子の前記外周部鉄心の磁極部中央に形成される前記磁性部のみで形成される一定領域の周方向幅は、対向する前記固定子の前記ティース部の周方向幅よりも広く、前記ティース先端面の周方向幅よりも狭いことが好ましい。
【発明の効果】
【００１３】
本発明によれば、回転子の回転時において大きな回転トルクが得られると共に、複数のスリットの打ち抜きによる製造を容易にしつつ、誘起電圧波形を正弦波に近づけることにより、振動や騒音の発生し難い回転子および永久磁石電動機を得られるという効果を奏する。
【図面の簡単な説明】
【００１４】
【図１】図１は、本発明の実施例１にかかる回転子の構成を示す平面図である。
【図２】図２は、図１の回転子の外周部鉄心部分の拡大図である。
【図３】図３は、実施例１の回転子が永久磁石電動機の固定子内で回転する際に発生する磁束線図である。
【図４】図４は、図１の回転子の回転時における誘起電圧波形図である。
【図５】図５は、図１の回転子の回転時における誘起電圧高調波成分を示す図である。
【図６】図６は、実施例１の回転子と比較する比較例の回転子の平面図である。
【図７】図７は、図６の比較例の回転子の外周部鉄心部分の拡大図である。
【図８】図８は、図６の比較例の回転子が永久磁石電動機の固定子内で回転する際に発生する磁束線図である。
【図９】図９は、図６の比較例の回転子の回転時における誘起電圧波形図である。
【図１０】図１０は、図６の比較例の回転子の回転時における誘起電圧高調波成分を示す図である。
【発明を実施するための形態】
【００１５】
以下に、本発明にかかる回転子および永久磁石電動機の実施例を図面に基づいて詳細に説明する。なお、この実施例によりこの発明が限定されるものではない。
【実施例１】
【００１６】
図１は、本発明の実施例１にかかる回転子の構成を示す平面図であり、図２は、図１の回転子の外周部鉄心部分の拡大図であり、図３は、実施例１の回転子が永久磁石電動機の固定子内で回転する際に発生する磁束線図であり、図４は、図１の回転子の回転時における誘起電圧波形図であり、図５は、図１の回転子の回転時における誘起電圧高調波成分を示す図である。
【００１７】
図１に示すように、実施例１の回転子１０は、薄い珪素鋼板（磁性体）を多数積層して円柱状に形成され、この回転子１０の中心には、回転子軸２６が挿通されて固定される。
【００１８】
６枚の板状の永久磁石１４は、回転子軸２６を中心とする６角形の各辺を成すように、回転子１０の外周寄りに、環状に所定間隔で形成された磁石埋め込み孔に埋め込まれて形成されている。そして、回転子１０の磁石埋め込み孔の周方向両端部には、磁束の短絡を防止するための非磁性部としてのフラックスバリア１２が、回転子１０の外周に向かって形成されている。磁石埋め込み孔の永久磁石１４とフラックスバリア１２とで囲まれた回転子１０の外周側は、外周部鉄心１５であり、その中央が磁極部２２で、両端のフラックスバリア１２同士が隣接する部分が極間部２４となる。実施例１の回転子１０の特徴的な構成は、この外周部鉄心１５の両端のフラックスバリア１２から周方向内側へ所定間隔の磁性部からなる磁路を介して所定形状のスリット１６，１８，２０それぞれ少なくとも３個形成されている点にある。
【００１９】
図２に示すように、実施例１の回転子１０の外周部鉄心１５の構造は、外周部鉄心１５の両端に設けられたフラックスバリア１２から周方向内側へ所定間隔の磁性部からなる磁路ｄ，ｃ，ｂを介して所定形状のスリット２０，１８，１６がそれぞれ少なくとも３個形成されている。外周部鉄心１５の磁極部２２中央の一定領域は、磁路幅ａで示したスリットの無い磁性部のみで形成され、外周部鉄心１５の磁極部２２寄りのスリット１６を第１スリットとし、スリット１８を第２スリットとし、スリット２０を第３スリットとする。そして、スリット１６（第１スリット）とスリット１８（第２スリット）との間を磁路幅ｂとすると、磁路幅ａと磁路幅ｂとの関係は、ａ＞ｂの関係にある。外周部鉄心１５の磁極部２２中央の磁路幅ａで示した一定領域は、スリットの無い磁性部のみで形成され、両端側にスリットを設けると共に、スリット１６とスリット１８との間の磁路幅ｂを磁路幅ａよりも小さくすることにより、両端側の磁束を通り難くし、磁極部２２の中央に磁束を集中させることで、回転子の回転トルクを大きくして、モータ効率を向上させるものである。
【００２０】
続いて、図２に示すように、スリット１６（第１スリット）とスリット１８（第２スリット）の周方向幅は、磁路幅ｂよりも大きく形成されている。これは、磁束がスリットを横切って磁路以外の所を通って漏洩するのを防止し、スリット間に設けられた磁路に磁束を導くことによって、磁束分布を改善するようにしたものである。磁束分布を改善するには、図４に示すように、誘起電圧波形をより滑らかな正弦波に近づけるようにするため、外周部鉄心１５の磁極部２２中央に磁束を集中させ、両端の極間部２４に行くに従って磁束を通り難くして、磁束の量を少なくする。このため、本来ならばスリット１８（第２スリット）に続くスリット２０（第３スリット）は、磁路幅ｃ（図２の磁路幅ｃは、磁路幅が最も大きくなる外周側の磁路幅とする）が磁路幅ｂよりも小さく、磁路幅ｄが磁路幅ｃよりもさらに小さくなるように、複数のスリット１６，１８，２０を打ち抜いて製造する必要がある。しかしながら、幅の大きな複数のスリットを細い磁路を残して打ち抜くためには、高度な加工技術が必要となり、容易に製造することができない。
【００２１】
そこで、本実施例１では、磁路幅ｃを大きくしつつ、スリット１８（第２スリット）とフラックスバリア１２との間の径方向外側の外周部鉄心１５には、外周部鉄心１５の外周部を切り欠いた外周部切欠き部２８を形成している。回転子１０の外周部鉄心１５の外周部は、図３に示すように、回転子１０が内部に配置された固定子３６の環状のヨーク部３４から内方に延びるティース部３２のティース先端面４０に対して、一定の距離（いわゆるエアギャップ）を隔てて対向配置されている。このため、外周部鉄心１５に形成された外周部切欠き部２８は、空気層として作用する。つまり、外周部切欠き部２８が形成された領域では、切欠きの深さに応じて永久磁石１４から出た磁束を通り難くすることができるので、スリット２０を径方向に細長い形状とし、磁路幅ｃを大きくとることによって、スリットの打ち抜きを容易に行いつつ、誘起電圧波形を正弦波に近づけることが可能となる。なお、切欠きの深さは、ティース先端面４０と外周部鉄心１５とのエアギャップよりも小さい方が好ましい。エアギャップ以上に切欠くと磁束の流れが極端に悪くなるからである。
【００２２】
このように、本実施例１では、外周部鉄心１５の磁極部２２の中央から両端のフラックスバリア１２に行くに従って、磁束の量が徐々に絞られるように磁束分布を改善するため、スリット間の磁路幅を段階的に小さくしていくのではなく、外周部切欠き部２８を併用することで、フラックスバリア１２に近いスリットの磁路幅に余裕を持たせることが可能となる。本来ならば、図２に示すスリット１６と隣接するスリット１８との間の磁路幅ｂとし、スリット１６の径方向の外側端と外周部鉄心１５の外周部との間の磁路幅ｂ’とし、スリット１８と隣接するスリット２０との間の磁路幅ｃとした場合に、ｃ＜ｂ＋ｂ’とする必要がある。これは、図２の破線矢印で示した磁束線Ａに見られるように、スリット１６の磁路幅ｂを通る磁束に、磁極部２２を通る磁束の一部がスリット１６の外周部の磁路幅ｂ’を通って外周部に回り込んで合流する特性を有しているため、各磁路幅の関係式はｃ＜ｂ＋ｂ’となる。しかし、本実施例１では、外周部切欠き部２８を併用することによって、ｃ＞ｂ＋ｂ’とすることが可能となり、外周部鉄心１５の両端のフラックスバリア１２近傍にスリットを形成する場合であっても、磁路幅に余裕を持って打ち抜きできることから、容易に製造が可能となる。なお、磁路幅ａは、他のいずれの磁路幅よりも大きく設定されるため、ａ＞ｃ＞ｂ＋ｂ’となる。
【００２３】
また、スリット２０（第３スリット）とフラックスバリア１２との間の磁路幅ｄは、外周部鉄心１５の磁極部２２の中央から両端のフラックスバリア１２に行くに従って、磁束の量が徐々に絞られて、磁路幅ｄでの磁束量が他の磁路幅における磁束量よりも少なくなる必要があるため、ａ＞ｃ＞ｂ＋ｂ’＞ｄとなる。
【００２４】
このように構成された実施例１の回転子１０は、図３に示すように、外周部鉄心の永久磁石１４からの磁束を外周部鉄心１５の中央側（磁極部２２）に集中させることができる。固定子３６側のティース部３２を通った磁束は、ヨーク部３４を経由して、隣の外周部鉄心に効率良く通すことができる。例えば、図３に示した磁束Ｂのように、回転子１０のスリット１６の磁極部２２側近傍を通った磁束Ｂは、ティース部３２を通りヨーク部３４を経由して確実に戻っていることがわかる。このため、実施例１の回転子１０は、磁極部２２を通る磁束量を増やすことができ、回転子１０の回転時における回転トルクを大きくすることができる。
【００２５】
また、実施例１の回転子１０は、外周部鉄心１５の両端のフラックスバリア１２付近にスリット１６，１８，２０を形成したため、磁束を磁極部２２に集中させるだけでなく、永久磁石１４の端部からの磁束の量を両端側にかけて小さくなるようにすることが可能となる。すなわち、回転子１０の回転時における誘起電圧波形は、図４に示すように、理想的な正弦波に近い滑らかな曲線が得られることがわかる。さらに、フラックスバリア１２近傍のスリット２０の周方向幅を小さくして、磁路幅をｃ＞ｂ＋ｂ’の関係とすることにより、スリットの打ち抜き製造を容易に行うことができる。
【００２６】
さらに、縦軸が誘起電圧高調波で、横軸が次数を示す図５のフーリエ変換グラフによれば、図１に示す回転子は、１次の高調波成分に比べて、５次、７次、１１次、１３次の高調波成分が非常に低い値となっており、高調波成分と共にコギングトルクを十分に低減できていることから、回転子１０の回転時における振動や騒音を低減することができると共に、鉄損による効率低下を改善することができる。
【００２７】
［実施例１と比較例との比較］
以下では、本実施例１における回転子の効果を検証するため、実施例１の回転子１１に外周部切欠き部２８が形成されていない比較例を作成し、その効果を比較することにする。
【００２８】
図６は、実施例１の回転子と比較する比較例の回転子の平面図であり、図７は、図６の比較例の回転子の外周部鉄心部分の拡大図であり、図８は、図６の比較例の回転子が永久磁石電動機の固定子内で回転する際に発生する磁束線図であり、図９は、図６の比較例の回転子の回転時における誘起電圧波形図であり、図１０は、図６の比較例の回転子の回転時における誘起電圧高調波成分を示す図である。
【００２９】
実施例１の比較例として作成した回転子１１は、図６に示すように、図１の外周部鉄心１５に形成された外周部切欠き部２８が形成されていない点のみが異なる。それ以外の構成については、実施例１の回転子１０と同じであるため、重複説明を省略する。
【００３０】
図６の外周部鉄心部分の拡大図である図７に示すように、第１〜第３スリットに相当するスリット１６，１８，２０については、形状および配置が図２に示した実施例１の回転子１０と同じであるため、磁路幅ａ，ｂ，ｂ‘，ｃ，ｄについても全く同様である。
【００３１】
このように構成された図７の比較例の回転子１１を永久磁石電動機の固定子内で回転する際に発生する磁束線図は、図８に示すように、フラックスバリア１２付近の磁束が絞りきれていないため、ａの磁束量が低下すると共に、磁束が両端側にも分散していることがわかる。これを詳細に見ると、スリット１６を磁束が短絡し、スリット１６の磁極部２２側近傍を通った磁束Ｄが固定子３６側のティース部３２を通らずにスロット３８内を短絡した後、ヨーク部３４を通らずに戻っている。このように、比較例の場合は、スリット２０が径方向に細長く、スリット１８との間の磁路幅ｃが大きく開いているため、磁束が磁路幅ｃを通りやすくなり、磁路幅ａ，ｂを通過するはずの磁束が磁路幅ｂ，ｃ側を通過することで、ａを通過する磁束の量が減ることから、回転子１１の回転時における回転トルクが回転子１０の時よりも小さくなっていることがわかる。つまり、比較例では、実施例１のように、スリット１８とフラックスバリア１２との間に外周部切欠き部２８が形成されていないため、磁路幅ｃ，ｄを通過する磁束を絞ることができず、外周部鉄心１５の中央側に磁束を集中させて、両端側にかけて磁束が減っていくように制御することはできない。
【００３２】
また、縦軸が誘起電圧で、横軸が電気角を示す図９の回転子１１の回転時における誘起電圧波形を見ると、図４の回転子１０の回転時における誘起電圧波形と異なり、正弦波からかけ離れている上、ゼロクロス点での線が寝ているため、誤検出の可能性がある。
【００３３】
さらに、縦軸が誘起電圧高調波で、横軸が次数を示す図１０のフーリエ変換グラフを見ると、１次の高調波成分に比べて、５次、７次、１１次、１３次の高調波成分が、実施例１のフーリエ変換グラフである図５よりも明らかに増大していることがわかる。これは、磁路幅ｃ，ｄの磁束量が増えるため、磁路幅ａ，ｂ，ｂ’を流れる磁束の量も変化してしまい、外周部鉄心１５の磁束の量が両端側にかけて少なくならないことによる。このため、実施例１の外周部切欠き部２８を形成することなく、磁路幅ｃを増大させ、スリット２０を径方向に細長い形状に変えて、スリットを打ち抜きやすくすると、高調波成分とコギングトルクが増大し、回転子１１の回転時における振動や騒音が増大し、鉄損による効率が低下することがわかる。
【００３４】
このように、実施例１の回転子１０によれば、外周部鉄心１５の磁極部２２の中央の一定領域が磁性部のみで構成され、この領域にはスリットを形成しないようにしたため、磁束を磁極部２２に集中させることが可能となり、その分磁極部２２を通る磁束量を増やすことができ、回転子１０の回転時における回転トルクを大きくすることができる。
【００３５】
また、実施例１の回転子１０によれば、スリット１８とフラックスバリア１２との間の外周部鉄心１５の外周部に外周部切欠き部２８を形成し、磁路幅ｃを増大させて、スリット２０を径方向に細長い形状に変えることで、スリットの打ち抜き加工が容易に行えるようになると共に、外周部鉄心１５の中央側に磁束を集中させて、両端側にかけて磁束が減っていくように制御することができるため、従来例や比較例と比べて高調波成分やコギングトルクを低減できることから、トルクリップルを低減することができ、回転子１０の回転時における振動や騒音を低減することができる。
【００３６】
なお、実施例１では、外周部鉄心１５の両端にそれぞれ第１〜第３スリットであるスリット１６，１８，２０を形成した例で説明したが、回転子の大きさに応じて４個以上のスリットを形成する場合であっても良い。
【００３７】
また、実施例１では、外周部切欠き部２８を設けることで磁路幅を大きくとって、スリットの打ち抜き加工を容易にしているが、磁路幅を設定するにあたって、少なくとも板厚以上の磁路幅を確保することにより、スリットの打ち抜き加工が確実に行えるようにすることが望ましい。
【００３８】
なお、上記実施例１における回転子は、外周部鉄心１５の磁極部２２の中央の一定領域が磁性部のみで形成されており、この部分にはスリットを形成しないことを特徴としている。この一定領域の好ましい幅（両端のスリット１６の距離）は、外周部鉄心の磁極部から出た磁束がそのままティース部３２に入るだけの幅が最低限必要になるため、図３に示すティース幅４２よりも広く、また、ティース先端面４０よりも広くしても磁束がティース部３２に入って行かないため、ティース先端面４０の周方向幅よりも狭い範囲内で設定するようにする。
【００３９】
以上のように構成された回転子は、永久磁石電動機の固定子内に組み込まれ、１８０度正弦波通電で駆動する場合に、誘起電圧の高調波成分を低減することで、トルクリップルが低減され、回転時における振動や騒音を低減すると共に、鉄損の低減効果により高い効率の永久磁石電動機とすることができる。また、１２０度矩形波通電で駆動する場合は、誘起電圧の高調波成分を低減することで、ゼロクロスポイントの検知が容易になり、誤検知を抑制することができる永久磁石電動機とすることができる。
【産業上の利用可能性】
【００４０】
以上のように、本発明にかかる電動機は、効率が良く、大きいトルクが必要なコンプレッサー用のモータ等に用いられる回転子および永久磁石電動機として有用である。
【符号の説明】
【００４１】
１０、１１  回転子
１２  フラックスバリア（非磁性部）
１４  永久磁石
１５  外周部鉄心
１６、１８、２０  スリット  
２２  磁極部
２４  極間部
２６  回転子軸
２８  外周部切欠き部
３２  ティース部
３４  ヨーク部
３６  固定子
３８  スロット
４０  ティース先端面
４２  ティース幅
ａ、ｂ、ｂ’、ｃ、ｄ  磁路幅
【図１】
0005811567.tif 000002
【図２】
0005811567.tif 000003
【図３】
0005811567.tif 000004
【図４】
0005811567.tif 000005
【図５】
0005811567.tif 000006
【図６】
0005811567.tif 000007
【図７】
0005811567.tif 000008
【図８】
0005811567.tif 000009
【図９】
0005811567.tif 000010
【図１０】
0005811567.tif 000011